(57)【要約】【課題】  アルバム台紙及びアルバムにおいて、厚い貼付対象物を収容可能で、低コストで作製することができると共に全体的に軽量であり、さらに貼付対象物の貼付位置及び大きさの設定自由度を高くすること。【解決手段】    アルバム台紙１が、台紙基板２と、該台紙基板２上に貼り付けられた厚物の貼付対象物３と、台紙基板２上の貼付対象物３の周囲に設けられ貼付対象物３の厚さよりも突出している突起部材４とを備えている。これにより、アルバム台紙１を重ね合わせても突起部材４によって上部のアルバム台紙１が支持されて台紙間に空間が形成されることで厚物の貼付対象物３が保護され、押し潰されることがない。【選択図】      図２
0003127871.tif 000002
【実用新案登録請求の範囲】
【請求項１】
台紙基板と、
該台紙基板上に貼り付けられた厚物の貼付対象物と、
前記台紙基板上の前記貼付対象物の周囲に設けられ前記貼付対象物の厚さよりも突出している突起部材とを備えていることを特徴とするアルバム台紙。
【請求項２】
請求項１に記載のアルバム台紙において、
前記突起部材が、着脱自在に前記台紙基板に貼り付けられていることを特徴とするアルバム台紙。
【請求項３】
請求項１又は２に記載のアルバム台紙において、
前記突起部材が、弾性材料で形成されていることを特徴とするアルバム台紙。
【請求項４】
請求項１から３のいずれか一項に記載のアルバム台紙において、
前記貼付対象物上を覆うように前記突起部材の上端部に貼り付けられた透明フィルムを備えていることを特徴とするアルバム台紙。
【請求項５】
請求項４に記載のアルバム台紙において、
前記突起部材が、前記貼付対象物を内側に配して設置される枠状突条部材であることを特徴とするアルバム台紙。
【請求項６】
請求項１から５のいずれか一項に記載のアルバム台紙において、
前記貼付対象物が、前記台紙基板上に貼り付けられた下地薄板又は下地布を介して貼り付けられていることを特徴とするアルバム台紙。
【請求項７】
請求項１から６のいずれか一項に記載のアルバム台紙において、
前記貼付対象物が、服のミニチュアであることを特徴とするアルバム台紙。
【請求項８】
請求項１から７のいずれか一項に記載のアルバム台紙を備えていることを特徴とするアルバム。
【考案の詳細な説明】
【技術分野】
【０００１】
本考案は、制服のミニチュアなどの厚物の貼付対象物を収容可能なアルバム台紙及びアルバムに関する。
【背景技術】
【０００２】
一般に、アルバムはアルバム台紙に写真等を貼り付けて収容し、このアルバム台紙を見開き可能に複数重ねることで構成されている。このアルバムには、写真だけでなく関連する記念のものを一緒に収容したいという要望が従来よりあった。この場合、写真と同様に紙等の薄いものであれば、アルバム台紙にそのまま貼り付ければよいが、比較的厚い物を貼付対象物として貼り付けると、アルバム台紙を重ね合わせてアルバムを閉じた際に、重ねた他のアルバム台紙によって貼付対象物が押し潰されてしまう問題がある。
【０００３】
これに対して、例えば特許文献１には、写真等に比べて厚物である押し花を収容するアルバムが提案されている。このアルバムは、アルバムの表紙ページ内側に、押し花を密封処理したパック体を収蔵する凹部を形成し、凹部の周囲全体にウレタンフォーム等の厚板状の弾性部材を配置することで、押し花のパック体をアルバム内に保護した状態で収納するものである。
【０００４】
【特許文献１】特開平９−７６６６３号公報
【考案の開示】
【考案が解決しようとする課題】
【０００５】
上記従来の技術には、以下の課題が残されている。
すなわち、特許文献１に記載の技術では、アルバムの表紙ページ等に凹部を設ける必要があり、製造コストが高くなると共に、凹部の周囲全体に弾性部材を配置するために、全体が重くなってしまう問題があった。また、予め所定位置に設けられた凹部内にしか厚物の貼付対象物を貼り付けるしかないと共に、凹部よりも大きい貼付対象物を収納することが不可能である。すなわち、貼付対象物の貼付位置に全く自由度がないと共に、貼付対象物の大きさが予め設定された凹部に制限されてしまうという不都合もあった。
【０００６】
本考案は、前述の課題に鑑みてなされたもので、厚い貼付対象物を収容可能で、低コストで作製することができると共に全体的に軽量であり、さらに貼付対象物の貼付位置及び大きさの設定自由度が高いアルバム台紙及びアルバムを提供することを目的とする。
【課題を解決するための手段】
【０００７】
本考案は、前記課題を解決するために以下の構成を採用した。すなわち、第１の考案のアルバム台紙は、台紙基板と、該台紙基板上に貼り付けられた厚物の貼付対象物と、前記台紙基板上の前記貼付対象物の周囲に設けられ前記貼付対象物の厚さよりも突出している突起部材とを備えていることを特徴とする。すなわち、このアルバム台紙では、台紙基板上の貼付対象物の周囲に設けられ貼付対象物の厚さよりも突出している突起部材を備えているので、アルバム台紙を重ね合わせても突起部材によって上部のアルバム台紙が支持されて台紙間に空間が形成されることで厚物の貼付対象物が保護され、押し潰されることがない。また、従来から用いられている単に平坦な台紙基板を用いることができ、安価に作製可能である。また、局所的に突起部材を設けるので、凹部を形成する従来技術に比べて全体を軽量に構成することができる。
【０００８】
また、第２の考案のアルバム台紙は、第１の考案のアルバム台紙において、前記突起部材が、着脱自在に前記台紙基板に貼り付けられていることを特徴とする。すなわち、このアルバム台紙では、突起部材が着脱自在に台紙基板に貼り付けられているので、突起部材の貼付位置を適宜変更することで、貼付対象物の貼付位置や大きさに高い設定自由度をもって対応することができる。
【０００９】
また、第３の考案のアルバム台紙は、第１又は第１２の考案のアルバム台紙において、前記突起部材が、弾性材料で形成されていることを特徴とする。すなわち、このアルバム台紙では、弾性材料で突起部材が形成されているので、弾性部材の弾性力により上部に重なる台紙基板に凹みや傷等を与え難い。
【００１０】
また、第４の考案のアルバム台紙は、第１から第３のいずれか一つのアルバム台紙において、前記貼付対象物上を覆うように前記突起部材の上端部に貼り付けられた透明フィルムを備えていることを特徴とする。すなわち、このアルバム台紙では、貼付対象物上を覆うように突起部材上に透明フィルムが貼り付けられているので、透明フィルムにより貼付対象物に直接、指等が触れることを防ぎ、手垢や埃が付着することを防止することができる。
【００１１】
さらに、第５の考案のアルバム台紙は、第４の考案のアルバム台紙において、前記突起部材が、前記貼付対象物を内側に配して設置される枠状突条部材であることを特徴とする。すなわち、このアルバム台紙では、枠状突条部材と透明フィルムで貼付対象物を囲むので、貼付対象物の周囲を密閉状態にすることができ、枠状突条部材で囲まれた内部に埃等が侵入することを防ぐことができる。
【００１２】
また、第６の考案のアルバム台紙は、第１から第５のいずれか一つのアルバム台紙において、前記貼付対象物が、前記台紙基板上に貼り付けられた下地薄板又は下地布を介して貼り付けられていることを特徴とする。すなわち、このアルバム台紙では、貼付対象物が、台紙基板上に貼り付けられた下地薄板又は下地布を介して貼り付けられているので、台紙基板表面とは色や模様、材質の異なる下地薄板又は下地布によって好みの下地デザインにすることができる。
【００１３】
また、第７の考案のアルバム台紙は、第１から第６のいずれか一つのアルバム台紙において、前記貼付対象物が、服のミニチュアであることを特徴とする。
【００１４】
第８の考案のアルバムは、第１から第７のいずれか一つのアルバム台紙を備えていることを特徴とする。すなわち、このアルバムでは、上記本考案のアルバム台紙を用いているので、安価な構成で、かつ軽量に作製することができ、服のミニチュアなどの厚物である貼付対象物も写真と共に収納することができる。
【考案の効果】
【００１５】
本考案によれば、以下の効果を奏する。
すなわち、本考案に係るアルバム台紙及びアルバムによれば、台紙基板上の貼付対象物の周囲に設けられ貼付対象物の厚さよりも突出している突起部材を備えているので、突起部材によって厚物の貼付対象物が保護されて押し潰されることがないと共に、低コストにかつ軽量に作製可能である。したがって、本考案のアルバム台紙を用いたアルバムによれば、写真等の薄物から制服のミニチュア等の厚物までの多様な貼付対象物を収容することができ、安価でかつ軽くて持ち運びに容易なアルバムを実現することができる。
【考案を実施するための最良の形態】
【００１６】
以下、本考案に係るアルバム台紙及びアルバムの第１実施形態を、図１から図３を参照しながら説明する。
【００１７】
本実施形態のアルバム台紙１は、図１及び図２に示すように、台紙基板２と、該台紙基板２上に貼り付けられた厚物の貼付対象物３と、台紙基板２上の貼付対象物３の周囲に設けられ貼付対象物３の厚さよりも突出している複数の突起部材４とを備えている。
また、このアルバム台紙１は、貼付対象物３上を覆うように複数の突起部材４の上端部に貼り付けられた透明フィルム５を備えている。
【００１８】
さらに、貼付対象物３は、台紙基板２上に貼り付けられた下地布６を介して貼り付けられている。
上記貼付対象物３は、写真等の薄い物に比べて立体的で厚い物であり、例えば学生時代に用いたセーラー服や学生服等の制服のミニチュアである。なお、他の貼付対象物３としては、例えば生徒手帳、名札又はお守り等、比較的厚めの記念品であってもよい。
【００１９】
上記突起部材４は、ゴム材やコルク材等の弾性材料で形成され、裏面の粘着剤により着脱自在に下地布６上に貼り付けられている。すなわち、突起部材４は、下地布６を介して台紙基板２上に貼り付けられている。この突起部材４は、上端部を平坦面とした縦断面台形状かつ横断面円形状に形成されている。本実施形態では、四角形状の下地布６の四隅近傍にそれぞれ突起部材４が設けられている。なお、突起部材４の高さは、１ｃｍ以内が好ましい。
【００２０】
上記下地布６は、台紙基板２の表面とは異なる色合いの布地であり、外周縁部に模様が施されている。
上記透明フィルム５は、四隅が上記４つの突起部材４の上端部に載置可能なサイズの四角形状とされ、各突起部材４の上端部の粘着剤によって着脱可能に接着されている。
【００２１】
次に、上記本実施形態のアルバム台紙１を用いたアルバムについて、図３を参照して説明する。
【００２２】
本実施形態のアルバムは、図３に示すように、表紙基板７と、裏紙基板８と、表紙基板７及び裏紙基板８の間に見開き可能に重ねられて閉じられた写真等を貼り付けて収容する複数の台紙基板２及び上記アルバム台紙１とを備えている。なお、各台紙基板２には、その左縁部に取付穴（図示略）が２つ設けられている。一方、裏紙基板８には、その左縁部に２つの柱状金具９が固定されており、上記取付穴に柱状金具９を挿通させることで台紙基板２及びアルバム台紙１を着脱可能にアルバムに複数取付可能となっている。
【００２３】
このアルバム台紙１には、上記制服のミニチュアである貼付対象物３の他に生徒手帳である貼付対象物３Ａが台紙基板２上に直接貼り付けられており、その周囲には突起部材４が設置されている。なお、この台紙基板２上の余白部分に、記念の手紙１０や写真を貼り付けても構わない。
このアルバムでは、表紙基板７を閉じてアルバム台紙１上に重ねたり、アルバム台紙１上に別の台紙基板２を重ねた場合、図２に示すように、表紙基板７や台紙基板２が各突起部材４の上端部に透明フィルム５を介して当接する。
【００２４】
このように本実施形態では、台紙基板２上の貼付対象物３の周囲に設けられ貼付対象物３の厚さよりも突出している複数の突起部材４を備えているので、アルバム台紙１を重ね合わせても複数の突起部材４によって上部の台紙基板２や表紙基板７が支持されて台紙間に空間が形成されることで厚物の貼付対象物３が保護され、押し潰されることがない。また、従来から用いられている単に平坦な台紙基板２を用いることができ、安価に作製可能である。また、局所的に突起部材４を設けるので、凹部を形成する従来技術に比べて全体を軽量に構成することができる。
【００２５】
また、突起部材４が着脱自在に台紙基板２に貼り付けられているので、突起部材４の貼付位置を適宜変更することで、貼付対象物３の貼付位置や大きさに高い設定自由度をもって対応することができる。
さらに、弾性材料で突起部材４が形成されているので、弾性部材の弾性力により上部に重なる台紙基板２や表紙基板７に凹みや傷等を与え難い。
【００２６】
また、貼付対象物３上を覆うように複数の突起部材４上に透明フィルム５が貼り付けられているので、透明フィルム５により貼付対象物３に直接、指等が触れることを防ぎ、手垢や埃が付着することを防止することができる。
また、貼付対象物３が、台紙基板２上に貼り付けられた下地布６を介して貼り付けられているので、台紙基板２表面とは色や模様、材質の異なる下地布６を任意に選択することで好みの下地デザインにすることができる。
したがって、本実施形態のアルバムでは、上記アルバム台紙１を用いているので、安価な構成で、かつ軽量に作製することができ、制服のミニチュアや生徒手帳等の厚物である貼付対象物３、３Ａも写真と共に収納することができる。
【００２７】
次に、本考案に係るアルバム台紙及びアルバムの第２実施形態について、以下に説明する。なお、以下の実施形態の説明において、上記実施形態において説明した同一の構成要素には同一の符号を付し、その説明は省略する。
【００２８】
第２実施形態と第１実施形態との異なる点は、第１実施形態では、４つの突起部材４で貼付対象物３を囲んで保護しているのに対し、第２実施形態のアルバム台紙１１では、貼付対象物３の周囲に貼付対象物３の厚さよりも突出している枠状突条部材１４を設置している点である。すなわち、第２実施形態では、四角形状の枠状突条部材１４で貼付対象物３を囲んで保護している。
【００２９】
この枠状突条部材１４は、厚さが０．５〜１ｃｍ程度の角材（木材）で形成され、上端部に上部開口を塞ぐように透明フィルム５が貼り付けられている。
したがって、第２実施形態では、透明フィルム５と枠状突条部材１４とで貼付対象物３を囲むので、貼付対象物３の周囲を密閉状態にすることができ、枠状突条部材１４で囲まれた内部に埃等が侵入することを防ぐことができる。これにより、制服のミニチュアなどの貼付対象物３を長期にわたってきれいに良好な状態で保存することができる。
【００３０】
なお、本考案の技術範囲は上記各実施形態に限定されるものではなく、本考案の趣旨を逸脱しない範囲において種々の変更を加えることが可能である。
例えば、上記各実施形態では、貼付対象物３が台紙基板２上に貼り付けられた下地布６を介して貼り付けられているが、厚紙や薄いコルクボード等の下地薄板を介して貼り付けても構わない。
【００３１】
また、上記第１実施形態では、突起部材４を貼付対象物３の周囲４箇所に設けているが、４つ以外の複数個設置しても構わない。
また、上述したように、突起部材４をゴム材等の弾性材料で形成することが好ましいが、第２実施形態の枠状突条部材１４のように木材で形成しても構わない。また、枠状突条部材１４をゴム材等の弾性材料で形成しても構わない。
【図面の簡単な説明】
【００３２】
【図１】本考案に係る第１実施形態のアルバム台紙及びアルバムにおいて、アルバム台紙を示す要部平面図である。
【図２】第１実施形態のアルバム台紙及びアルバムにおいて、アルバム台紙を示す要部正面図である。
【図３】第１実施形態のアルバム台紙及びアルバムにおいて、見開き状態のアルバムを示す斜視図である。
【図４】本考案に係る第２実施形態のアルバム台紙及びアルバムにおいて、アルバムを示す要部斜視図である。
【符号の説明】
【００３３】
１、１１…アルバム台紙、２…台紙基板、３、３Ａ…貼付対象物、４…突起部材、５…透明フィルム、６…下地布、１４…枠状突条部材
【図１】
0003127871.tif 000003
【図２】
0003127871.tif 000004
【図３】
0003127871.tif 000005
【図４】
0003127871.tif 000006